(57)【要約】      （修正有）【課題】ユーザ機器と通信を行う基地局を変更するための通信方法を提供する。【解決手段】基地局（ＢＳ）は、接続されたユーザ機器（ＵＥ）から第２の通信チャネルのシステム情報を受信し、ＵＥと電子機器との間に第１の通信チャネルが維持されている間、第２の通信チャネルがＵＥと非共通ベースバンドＢＳとの間に存在するか否かを第２の通信チャネルのシステム情報に応じて確認する。第１の通信チャネル及び第２の通信チャネルはそれぞれ異なるキャリアリソースを使用する。ＵＥへのメッセージトラフィックのどの部分を非共通ベースバンドＢＳが通信可能であるかを示す指標、ランダムアクセスのためのプリアンブル、ＵＥが非共通ベースバンドＢＳと通信する新たなキャリアのシステム情報、及びＵＥと非共通ベースバンドＢＳとの間で通信を確立するための制御プレーンプロトコルの構成情報の少なくともひとつを、非共通ベースバンドＢＳから受信する。【選択図】なし【特許請求の範囲】
【請求項１】
電子機器であって、
接続されたユーザ機器（ＵＥ）から第２の通信チャネルのシステム情報を受信し、
前記ＵＥと前記電子機器との間に第１の通信チャネルが維持されている間、前記第２の通信チャネルが前記ＵＥと非共通ベースバンド基地局（ＢＳ）との間に存在するか否かを前記第２の通信チャネルの前記システム情報に応じて確認する、
ように構成された処理回路を備え、
前記第１の通信チャネル及び前記第２の通信チャネルはそれぞれ異なるキャリアリソースを使用し、
前記処理回路は、前記ＵＥへのメッセージトラフィックのどの部分を前記非共通ベースバンドＢＳが通信可能であるかを示す指標、ランダムアクセスのためのプリアンブル、前記ＵＥが前記非共通ベースバンドＢＳと通信する新たなキャリアのシステム情報、及び前記ＵＥと前記非共通ベースバンドＢＳとの間で通信を確立するための制御プレーンプロトコルの構成情報の少なくともひとつを、前記非共通ベースバンドＢＳから受信するよう構成される、電子機器。
【請求項２】
前記処理回路は、前記ＵＥが前記第２の通信チャネル上に前記非共通ベースバンドＢＳとのデータ通信を構築及び維持している場合に、前記第１の通信チャネルにおける前記ＵＥとのデータ通信を開放しない、請求項１に記載の電子機器。
【請求項３】
前記非共通ベースバンドＢＳは、光学的接続により前記電子機器に接続されていない、請求項１に記載の電子機器。
【請求項４】
前記処理回路は、少なくとも、前記非共通ベースバンドＢＳ及び前記ＵＥからの信号の測定結果に基づいて、前記ＵＥとの通信を変更する方式を特定することにより、前記非共通ベースバンドＢＳとの前記第２の通信チャネルの構築及び維持を含ませるようにした、請求項１に記載の電子機器。
【請求項５】
前記第２の通信チャネルを構築した後、前記処理回路及び前記非共通ベースバンドＢＳは、各制御プレーン構成のデータ伝送と、上り制御チャネルでの伝送と、移動性及び無線リンク障害の測定と、のうち少なくとも１つを実行する、請求項４に記載の電子機器。
【請求項６】
前記電子機器、前記ＵＥ及び前記非共通ベースバンドＢＳは共通制御プレーンを共有し、前記共通制御プレーンは、無線リソース制御（ＲＲＣ）プロトコルである、請求項１に記載の電子機器。
【請求項７】
前記第１の通信チャネルに使用される周波数帯域は前記第２の通信チャネルの周波数帯域と異なる、請求項１に記載の電子機器。
【請求項８】
前記処理回路は、前記非共通ベースバンドＢＳを追加すると、連続的なパケットをコアネットワークに転送し、既に受信された不連続的なパケットを前記非共通ベースバンドＢＳに転送し、続いて前記コアネットワークへ転送するようにした、請求項１に記載の電子機器。
【請求項９】
前記処理回路は、前記非共通ベースバンドＢＳを追加すると、落としたパケットを前記ＵＥが前記非共通ベースバンドＢＳに送信してコアネットワークに転送することができるように、前記ＵＥから既に受信されたパケットを確認する、請求項１に記載の電子機器。
【請求項１０】
前記処理回路は、前記非共通ベースバンドＢＳを追加すると、落としたパケットを前記ＵＥが前記処理回路へ再送してコアネットワークへ転送することができるように、前記ＵＥから既に受信されたパケットを確認し、また、前記非共通ベースバンドＢＳが異なるパケットを前記コアネットワークへ転送することができるように、前記ＵＥは、前記異なるパケットを前記非共通ベースバンドＢＳへさらに送信する、請求項１に記載の電子機器。
【請求項１１】
前記処理回路は、前記非共通ベースバンドＢＳを追加すると、前記ＵＥが、異なるパケットを前記非共通ベースバンドＢＳにさらに送信でき、且つ、前記非共通ベースバンドＢＳが、前記異なるパケットをコアネットワークへ転送できるようにするために、前記ＵＥから既に受信されたパケットを確認して、前記コアネットワークへ転送できるようにする、請求項１に記載の電子機器。
【請求項１２】
前記処理回路は、前記ＵＥから前記処理回路に送信されたパケットの受信確認の送信に前記処理回路が失敗したと前記ＵＥにより判定されると、前記ＵＥからのパケットの受信を停止するように構成される、請求項１に記載の電子機器。
【請求項１３】
前記処理回路は、前記非共通ベースバンドＢＳを追加すると、前記第１の通信チャネル上でパケットの第１のセットを前記ＵＥに送信し且つ前記第１のセットのサブセットの受信確認のみを受信することに応じて、落としたパケットを前記非共通ベースバンドＢＳに転送して前記ＵＥに中継するようにする、請求項１に記載の電子機器。
【請求項１４】
前記処理回路は、パケットを落としたことを示す受信確認メッセージが確認されると、パケットを前記ＵＥに送信することを停止すると共に、これに応じて、落とした少なくとも１つのパケットと新たに受信されるいずれかのパケットとを前記非共通ベースバンドＢＳに転送して前記ＵＥに中継するように構成される、請求項１に記載の電子機器。
【請求項１５】
前記処理回路は、前記新たに受信されるパケットのみを前記非共通ベースバンドＢＳに転送して前記ＵＥに中継するように構成される、請求項１４に記載の電子機器。
【請求項１６】
前記処理回路は、コアネットワークからのパケットを前記ＵＥに送信し、データ終了符号が受信されると、前記データ終了符号を前記非共通ベースバンドＢＳに転送して前記ＵＥに中継するように構成される、請求項１４に記載の電子機器。
【請求項１７】
電子機器であって、
前記電子機器と非共通ベースバンド基地局（ＢＳ）との間に存在し得る第２の通信チャネルを、第１のＢＳ向けに測定し、
前記電子機器と前記第１のＢＳとの間に第１の通信チャネルが維持されている間、前記第２の通信チャネルのシステム情報を前記第１のＢＳへ報告する、
ように構成された処理回路を備え、
前記第１の通信チャネル及び前記第２の通信チャネルはそれぞれ異なるキャリアリソースを使用し、
前記処理回路は、前記電子機器へのメッセージトラフィックのどの部分を前記非共通ベースバンドＢＳが通信可能であるかを示す指標、ランダムアクセスのためのプリアンブル、前記電子機器が前記非共通ベースバンドＢＳと通信する新たなキャリアのシステム情報、及び前記電子機器と前記非共通ベースバンドＢＳとの間で通信を確立するための制御プレーンプロトコルの構成情報の少なくともひとつを、前記第１のＢＳを介して前記非共通ベースバンドＢＳから受信するよう構成される、電子機器。
【請求項１８】
前記処理回路は、前記非共通ベースバンドＢＳを追加すると、前記第１のＢＳへの送信に既に成功したパケットの受信確認を受信し、落としたパケットを前記非共通ベースバンドＢＳに送信してコアネットワークへ転送するようにした、請求項１７に記載の電子機器。
【請求項１９】
前記処理回路は、前記非共通ベースバンドＢＳを追加すると、前記第１のＢＳへの送信に既に成功したパケットの受信確認を受信し、落としたパケットを前記第１のＢＳへ再送してコアネットワークへ転送するようにし、また、前記非共通ベースバンドＢＳが異なるパケットを前記コアネットワークへ転送することができるように、前記異なるパケットを前記非共通ベースバンドＢＳへ送信する、請求項１７に記載の電子機器。
【請求項２０】
前記処理回路は、前記非共通ベースバンドＢＳを追加すると、コアネットワークへの転送のために、前記第１のＢＳへの送信に既に成功したパケットの受信確認を受信し、また、前記非共通ベースバンドＢＳが異なるパケットを前記コアネットワークへ転送することができるように、前記異なるパケットを前記非共通ベースバンドＢＳへ送信する、請求項１７に記載の電子機器。
【請求項２１】
前記処理回路は、前記非共通ベースバンドＢＳを追加すると、落としたパケットを前記第１のＢＳが前記非共通ベースバンドＢＳに転送して前記電子機器に中継するようにするために、前記第１の通信チャネル上のパケットの第１のセットのサブセットのみの受信確認メッセージを送信する、請求項１７に記載の電子機器。
【請求項２２】
前記処理回路は、パケットを落としたことを示す受信確認メッセージが送信されると、前記第１のＢＳからのパケットの受信を停止するように構成され、前記第１のＢＳは、落とした少なくとも１つのパケットと新たに受信されるいずれかのパケットとを前記非共通ベースバンドＢＳに転送して前記電子機器に中継する、請求項１７に記載の電子機器。
【発明の詳細な説明】
【技術分野】
【０００１】
本発明は、通信技術分野に関し、特に通信装置及び通信方法、より具体的には、基地局と通信端末間の通信を変更するための通信装置及び通信方法に関する。
【背景技術】
【０００２】
ＬＴＥ（−Ａ）（Ｌｏｎｇ−Ｔｅｒｍ  Ｅｖｏｌｕｔｉｏｎ（−Ａｄｖａｎｃｅｄ））技術などのような通信技術には、通信端末と通信を行う基地局を変更する方法がある。通常、基地局を切り換える際に、通信端末は本来の基地局（即ちソース基地局）と接続を切断し、新たな基地局（即ちターゲット基地局）と接続を確立する必要がある。無論、先行技術の中に、通信端末によるソフトスイッチング技術と言われ、すなわち、通信端末は切り換える最中に２つの基地局と仮接続し、通信端末とターゲット基地局との間に安定的な通信を確立したら、ソース基地局との接続を切断することで、継ぎ目なく切り換えることを目指す技術も存在している。
【発明の概要】
【０００３】
一の実施例において、ユーザ機器（ＵＥ）との第１の無線通信チャネルを構築する処理回路を備え、さらに、前記ＵＥと前記電子機器との間の前記第１の通信チャネルを維持している場合に、前記ＵＥと非共通ベースバンド基地局（ＢＳ）との間に、少なくとも所定の品質を有し、前記第１の通信チャネルとは異なるキャリア資源を使用する第２の通信チャネルが存在しているか否かを特定する電子機器について説明する。
【０００４】
別な実施例において、第1の基地局とユーザ機器（ＵＥ）との間の第１の無線通信チャネルを構築し、前記ＵＥと前記電子機器との間の前記第１の通信チャネルを維持している場合に、前記ＵＥと非共通ベースバンド基地局（ＢＳ）との間に、少なくとも所定の品質を有し、前記第１の通信チャネルとは異なるキャリア資源を使用する第２の通信チャネルが存在しているか否かを処理回路によって特定する通信方法について説明する。
【０００５】
非一時的なコンピュータに読取可能な記憶媒体に係る実施例において、処理回路によって実行すると通信方法を実行する指令を前記媒体に格納し、係る方法において、第1の基地局とユーザ機器（ＵＥ）との間の第１の無線通信チャネルを構築するステップと、前記ＵＥと前記電子機器との間の前記第１の通信チャネルを維持している場合に、前記ＵＥと非共通ベースバンド基地局（ＢＳ）との間に、少なくとも所定の品質を有し、前記第１の通信チャネルとは異なるキャリア資源を使用する第２の通信チャネルが存在しているか否かを処理回路によって特定するステップとを含む。
【図面の簡単な説明】
【０００６】
本発明の趣旨及び好適な実施例並びに図面への説明から見出せるように、本発明の上記及び他の目的や特徴及び利点は、自明なものである。図面において、
【図１】図１は、本発明の第１の実施例に係る通信方法のフローチャートを示す。
【図２】図２は、本発明の第１の実施例に係る通信方法におけるシグナリングインタラクティブの模式図を示す。
【図３】図３Ａ、３Ｂは、対照用の、従来の基地局切換工程における上りデータに対する模式図を示す。
【図４】図４Ａ、４Ｂは、本発明の第２の実施例に係る通信方法における上りデータに対する模式図を示す。
【図５】図５は、比較のために、従来の基地局切換工程における下りデータに対する模式図を示す。
【図６】図６Ａ、６Ｂは、本発明の第３の実施例に係る通信方法において、下りデータがデータ転送を有する模式図を示す。
【図７】図７は、本発明の第４の実施例に係る通信方法において、下りデータがデータ転送を有しない模式図を示す。
【図８】図８Ａ、８Ｂ、８Ｃ、８Ｄは、本発明の第５の実施例に係る通信装置を示すブロック図である。
【図９】図９は、本発明の第６の実施例に係るハードウェア構成を示す図である。
【図１０】図１０は、通信端末と通信を行う基地局を変更するための通信方法に関連する状況を示す図である。
【発明を実施するための最良の形態】
【０００７】
以下、図面を参照しながら本発明の実施例について詳細に説明する。
【０００８】
以下、下記の手順に従って説明する。
１．  本発明の第１の実施例
２．  本発明の第２の実施例
３．  本発明の第３の実施例
４．  本発明の第４の実施例
５．  本発明の第５の実施例
６．  本発明の第６の実施例
【０００９】
（本発明の第１の実施例）
以下、図１と図２及び図１０を参照しながら、本発明の第１の実施例に係る通信方法を説明する。
【００１０】
まず、図１０は、通信端末と通信を行う基地局を変更するための通信方法に関する状況を示している。
【００１１】
図１０に示すシステムにおいて、ユーザ端末１００は第１の基地局２００を介してコアネットワーク４００に接続されることもできれば、第２の基地局３００を介してコアネットワーク４００に接続されることもでき、また、第１の基地局２００と第２の基地局３００との両者を介してコアネットワーク４００に接続することも可能である。
【００１２】
ここで、第１の基地局２００と第２の基地局３００は、同一のゲート、若しくは、異なるゲートを介してコアネットワーク４００に接続されることが可能である。コアネットワーク４００はインターネットであってもよいし、企業イントラネットまたは他の適当なネットワークであってもよい点について注意されるべきである。
【００１３】
図１０に示す第１の基地局２００はマクロ基地局であってもよく、第２の基地局３００は小型基地局であってもよい点に注意されるべきである。しかしながら、第１の基地局２００と第２の基地局３００は、他の適当な基地局とされてもよい。本発明の実施例により、第２の基地局３００のカバー範囲と第１の基地局２００のカバー範囲とは重なり、好ましくは、第２の基地局３００のカバー範囲は、第１の基地局２００のカバー範囲に含まれるようになる。
【００１４】
第１の基地局２００と第２の基地局３００は同じプロトコル若しくは異なるプロトコルに従い動作する。第１の基地局２００と第２の基地局３００のプロトコルとしては、LTE(-A) FDD（周波数分割多重化）、LTE(-A) TDD（時分割多重化）、WiFi（ワイヤレスフィデリティ）、WCDMA/TD-SCDMA/HSPA/HSPA+（広帯域符号分割多元接続/時分割同期符号分割多元接続/高速パケットアクセス/高速パケットアクセス+）、CDMA/EV-DO（符号分割多元接続/エボリューションデータオンリー）、WiMAX（マイクロ波アクセスワールドワイドインターオペラビリティ）などのプロトコルから選択されることが好適である。
【００１５】
図１は、通信端末と通信を行う基地局を変更するための本発明の第１の実施例に係る通信方法を示している。当該通信方法はステップＳ１０１から始まり、ステップＳ１０３に進む。
【００１６】
ステップＳ１０３において、通信端末１００は第１の基地局２００と通信を進行しているとき、少なくとも通信端末１００による第２の基地局３００の信号への測定結果に基づいて、第１の基地局２００及び第２の基地局３００と通信端末１００との間の通信変更方式を決定し、続いて、ステップＳ１０５に移行して処理を行う。
【００１７】
ここで、第１の基地局２００と第２の基地局３００は周波数帯域が異なるので、通信端末１００に第１の基地局２００と第２の基地局３００とが同時に接続されている場合に、より広い帯域幅を得ることができる。
【００１８】
ステップＳ１０５にいて、測定結果は所定の条件を満たす場合に、第１の基地局２００と第２の基地局３００は異なるキャリア上で通信端末１００とデータ伝送接続を行うことができる。
【００１９】
この所定の条件は実際の状況に応じて設定される。例えば、通信端末１００に第１の基地局２００だけが接続されている場合と、第２の基地局３００だけが接続されている場合とでは、所望の帯域幅を取得することができなければ、通信端末１００に第１の基地局２００と第２の基地局３００とを同時に接続させる必要がある。また、通信端末１００の一部のトラフィックは第１の基地局２００を介する通信が好適で、別の一部のトラフィックは第２の基地局３００を介する通信が好適である場合に、通信端末１００に第１の基地局２００と第２の基地局３００とを同時に接続させる必要もある。
【００２０】
その後、ステップＳ１０７に移行し処理を行い、そして、ステップＳ１０７において処理を終了とする。
【００２１】
以下、図２を参照しながら、第１の実施例に係る通信方法により制御面で行われるシグナリングインタラクティブについて説明する。第１の実施例に係る通信方法は、図２に示す態様以外の他の態様に従って行うようにしてもよく、図２に示す態様は例示的なものに過ぎない点に注意されるべきである。
【００２２】
図２において、ユーザ端末１００、第１の基地局２００、第２の基地局３００及びコアネットワーク４００の間のシグナリングインタラクティブを模式的に示している。
【００２３】
まず、第１の基地局２００は、ユーザ端末１００に対し、第２の基地局３００の信号を測定する制御情報を送信する（２０１）。このとき、上り・下りパケットはユーザ端末１００と第１の基地局２００との間と、第１の基地局２００とコアネットワーク４００との間だけで送受信される。ここのパケットは、例えばＩＰ（インターネットプロトコル）パケットであってもよい。
【００２４】
第１の基地局２００から送信されてきた制御情報に応じて、ユーザ端末１００は測定結果を第１の基地局２００に送信する（２０２）。
【００２５】
第１の基地局２００は、ユーザ端末１００からフィードバックされた測定結果を受信した後、第１の基地局２００と第２の基地局３００が異なるキャリアリソース上で通信端末１００とデータ伝送接続を同時に行う必要があるか否かを判定する。
【００２６】
測定結果が所定の条件を満たすものであれば、第１の基地局２００と第２の基地局３００は、異なるキャリアリソース上で通信端末１００とデータ伝送接続を同時に行う。
【００２７】
ここで、第１の基地局２００と第２の基地局３００は、ベースバンドを共用する場合、第１の基地局２００と第２の基地局３００は光ファイバで直接的に接続され、かつこれらの間の信号伝達はほとんど遅延しないので、同一基地局内キャリア統合方式により、第１の基地局２００と第２の基地局３００を通信端末１００と同時に接続させることができる。すなわち、一つの主キャリア（Primary carrier)を通して、他の副キャリア(Secondary carrier）は伝送され、かつ通信端末１００と第１の基地局２００及び第２の基地局３００との通信は、共通の制御面プロトコル構成、例えばＬＴＥの無線リソース制御（RRC: Radio Resource
Control）プロトコル構成を有する。例えば、第１の基地局２００と通信端末１００との間の通信キャリアは主キャリアとされ、第２の基地局３００と通信端末１００との間の通信キャリアは副キャリアとされ（副キャリアは、第１の基地局２００と通信端末１００との間のほかの通信キャリアをさらに含む）、主キャリアを通して各副キャリアは伝送されてもよい。
【００２８】
一方、第１の基地局２００と第２の基地局３００が、ベースバンドを共用しない場合、通信端末１００と第１の基地局２００及び第２の基地局３００との通信は、光ファイバで直接的に接続されないメインネットワークを介して実行されるため、時間的遅延が大きくなり、第１の基地局２００と通信端末１００の間の通信キャリアは、第２の基地局３００と通信端末１００間の通信キャリアを直接に伝送し難いので、同一基地局内キャリア統合方式に従わずに第１の基地局２００及び第２の基地局３００を通信端末１００と同時に接続させるようにする。
【００２９】
第１の基地局２００と第２の基地局３００が、ベースバンドを共用しない場合、通信端末１００と第１の基地局２００及び第２の基地局３００との通信は、それぞれ、独立した制御面プロトコル構成を有し、かつ通信端末１００と第１の基地局２００及び第２の基地局３００との通信において、別々に独立した主キャリアを有する。基地局内キャリア統合方法に従い、それぞれ、第１の基地局２００と第２の基地局３００の副キャリアへの制御管理、及び、第１の基地局２００と第２の基地局３００の主キャリアへの伝送を実行することができる。
【００３０】
なお、第１の基地局２００と第２の基地局３００は通信端末１００と同時に接続されている場合に、各制御面プロトコル構成のデータ伝送と、上り制御チャンネルでの伝送と、移動性測定及び無線リンク障害測定を含む操作のうちの少なくとも１つの操作は、それぞれ、第１の基地局２００と第２の基地局３００の各々の主キャリア上で行われる。
【００３１】
以上、第１の基地局２００側での判定過程は、図２において２０３で示される。具体的には、この処理は、第１の基地局２００自身で実行されてもよいし、第１の基地局２００側に設けられ且つ通信端末と通信を行う基地局を変更する通信装置又はその機能的手段、例えば第１の基地局２００に接続されたベースバンド処理手段（BBU,Base Band Unit）または他の適当な機能的手段によって実行されてもよい。
【００３２】
続いて、第１の基地局２００は、第１の基地局２００と第２の基地局３００が通信端末１００と同時に接続される要求を第２の基地局３００に送信する（２０４）。この要求には、通信端末１００と第２の基地局３００の通信を確立した後、通信端末１００と第１の基地局２００との間の通信を保持し続ける旨が示されている。ノード間のインタラクティブメッセージの中に前記シグナリングを含ませるように、例えば３ＧＰＰ  ＴＳ３６．３３１におけるノード間のインタラクティブメッセージを改善することができる。より具体的な例において、このシグナリングを含ませるようにハンドオーバー準備情報メッセージを改善することができる。この処理は、第１の基地局２００自身で実行されることもでき、第１の基地局２００側に設けられ且つ通信端末と通信を行う基地局を変更するための通信装置又はその機能的手段、或いは他の適当な機能的手段によって実行されることも可能であるように理解されるべきである。つまり、以上の処理を実行する機能的手段は、第１の基地局２００の一部であってもよく、第１の基地局２００とは独立した機能的手段であってもよい。
【００３３】
第２の基地局３００側で、第１の基地局２００と第２の基地局３００は異なるキャリアリソース上で通信端末１００とデータ伝送接続を同時に行うことができるか否かを特定すると共に、第２の基地局３００は通信端末１００のどの部分のトラフィックに対して通信を行うことができるかを特定する。また、第２の基地局３００側で他の適当な処理を実行してもよい。以上の処理は図２において２０５で示される。具体的には、この処理は、第２の基地局３００自身で実行されることもでき、第２の基地局３００側に設けられ且つ通信端末と通信を行う基地局を変更するための通信装置又はその機能的手段、或いは他の適当な機能的手段によって実行されることも可能である。つまり、以上の処理を実行する機能的手段は、第２の基地局３００の一部であってもよく、第２の基地局３００とは独立した機能的手段であってもよい。
【００３４】
続いて、第２の基地局３００は、通信端末１００と第１の基地局２００との間の通信を維持しながら、異なるキャリアリソース上で通信端末１００とデータ伝送を行う接続を確立することができると第２の基地局３００によって特定された場合に、第２の基地局３００が通信端末１００のどの部分のトラフィックに対して通信を行えるか、ランダムアクセスに必要な専用プリアンブル、通信端末１００と第２の基地局とが通信を行う新たなキャリアのシステム情報と、前記通信端末と第２の基地局との通信を構築する制御面プロトコルの構成情報とからなる群より選ばれた少なくとも１つを含む確認情報を第１の基地局２００に送信する（２０６）。当該シグナリングを含ませるように、例えば３ＧＰＰ  ＴＳ３６．３３１におけるノード間のインタラクティブメッセージを改善することができる。より具体的な例において、このシグナリングは、第２の基地局３００（ターゲット基地局）から第１の基地局２００（ソース基地局）へ送信されたインタラクティブメッセージの中にＡＳ−Ｃоｎｆｉｇ ＩＥを付加することで実現され、ＡＳ−Ｃоｎｆｉｇ
ＩＥの中に、第２の基地局３００（ターゲット基地局）のＲＲＣ構成情報が含まれている。Ｗｉｆｉのような場合において、他の適当なノード間のインタラクティブ情報を改善することもできる。第２の基地局３００は、通信端末１００との通信の確立に関連する情報を第１の基地局２００に送信することもできることが当業者によって理解されるべきである。さらに、この処理は、第２の基地局３００自身で実行されることもでき、第２の基地局３００側に設けられ且つ通信端末と通信を行う基地局を変更するための通信装置又はその機能的手段、或いは他の適当な機能的手段によって実行されることも可能であるように理解されるべきである。つまり、以上の処理を実行する機能的手段は、第２の基地局３００の一部であってもよく、第２の基地局３００とは独立した機能的手段であってもよい。
【００３５】
続いて、第１の基地局２００は、第１の基地局２００と第２の基地局３００が異なるキャリアリソース上で通信端末１００とデータ伝送接続を同時に行う旨を確認するための確認情報を通信端末１００に送信する（２０７）。この確認情報は、第２の基地局が通信端末１００のどの部分のトラフィックに対して通信を行えるか、ランダムアクセスに必要な専用プリアンブル、通信端末１００と第２の基地局３００とが通信を行う新たなキャリアのシステム情報と、通信端末１００と第２の基地局３００の通信を構築する制御面プロトコルの構成情報とからなる群より選ばれた少なくとも１つを含む点に注意されるべきである。ＲＲＣ接続再構成情報の中に前記確認情報を含ませるように、例えば３ＧＰＰ  ＴＳ３６．３３１における第１の基地局２００（ソース基地局）から通信端末１００に送信されたＲＲＣ接続再構成情報（RRC  Connection  Reconfiguration）を改善することができる。Ｗｉｆｉのような場合において、他の適当なノード間のインタラクティブ情報を改善することもできる。前記確認情報には、通信端末１００との通信の確立に関連する他の情報がさらに含まれるように理解されるべきである。さらに、この処理は、第１の基地局２００自身で実行されることもでき、第１の基地局２００側に設けられ且つ通信端末と通信を行う基地局を変更するための通信装置又はその機能的手段、或いは他の適当な機能的手段によって実行されることも可能であるように理解されるべきである。つまり、以上の処理を実行する機能的手段は、第１の基地局２００の一部であってもよく、第１の基地局２００とは独立した機能的手段であってもよい。
【００３６】
通信端末１００は前記確認情報を受信した後、第２の基地局３００との通信を確立できるように適当な処理を行う（２０８）。また、通信端末１００は確認情報を受信した後、第２の基地局３００を通して第１の基地局２００に送信される、特定されたデータにおいて上りデータに関する新たなパケットを送信しない。この処理につき、後の実施例において詳しく説明する。
【００３７】
処理２０９において、通信端末１００と第２の基地局３００との通信を確立する。ここでいう通信端末１００と第２の基地局３００との通信を確立する処理は、従来の基地局の切換時に通信端末とターゲット基地局との通信を確立した処理と同じであり、アイドル状態からアクティブ状態への移行時の初期アクセスおよびハンドオーバー、基地局内のキャリア統合の初期アクセス、または基地局間のキャリア統合を通した２つの基地局との接続維持に、アクセスプリアンブリが用いられるかどうかをターゲット基地局が判定する必要がある点だけ相違している。
【００３８】
通信端末１００と第２の基地局３００との接続が確立された後、第２の基地局３００は、第１の基地局２００と第２の基地局３００が異なるキャリアリソース上で通信端末１００とデータ伝送を同時に行う接続を確立したメッセージをコアネットワーク４００に通知する（２１０）。その後、第２の基地局３００を通して送信される特定されたデータにおける下りデータに関して、コアネットワーク４００は新たなパケットを第２の基地局３００に送信するが、第１の基地局２００には送信しない。また、通常コアネットワーク４００は、下りデータを第１の基地局２００に送信すると共に、第１の基地局２００を介して第２の基地局３００へ転送してもよい。
【００３９】
続いて、図２に示すように、一部の上り・下りパケットはユーザ端末１００と第２の基地局３００との間で送受信されるとともに、第２の基地局３００とコアネットワーク４００との間で送受信される。別の一部の上り・下りパケットはユーザ端末１００と第１の基地局２００との間で送受信されるとともに、第１の基地局２００とコアネットワーク４００との間で送受信される。また、第２の基地局３００は通信端末１００から上りデータのみ受信すると共にコアネットワーク４００に送信し、或いは第２の基地局３００はコアネットワーク４００から下りデータのみ受信すると共に通信端末１００に送信するように規定されている。
【００４０】
ここで、第２の基地局３００と通信端末１００との接続が確立された後、通信端末１００は依然として第１の基地局２００との接続を保持しているので、第２の基地局３００またはコアネットワーク４００は、第１の基地局２００と通信端末１００との通信を終了する旨を表す情報を第１の基地局２００に送信する必要がない。
【００４１】
以上の態様で、そもそも第１の基地局２００と通信しか行わなかった通信端末１００は、異なるキャリアリソース上で第１の基地局２００と第２の基地局３００と通信を同時に行うことが可能となる。
【００４２】
また、通信端末１００に使用されたキャリアリソースの追加、変更または削除は、第１の基地局２００によって管理することもできれば、第２の基地局３００によって管理することもできる。通信端末１００を介して複数の基地局との接続で担われたトラフィック、例えばトラフィックの割り当て、変動などは、同じように、第１の基地局２００により管理され、または第２の基地局３００により管理されることができる。また、前述と同様に、ここで、第１の基地局２００または第２の基地局３００によってある処理を進行し或いはある管理を実行することが言及されている場合に、第１の基地局２００または第２の基地局３００で実行されることもでき、それは第１の基地局２００側または第２の基地局３００側に設けられ且つ通信端末と通信を行う基地局を変更するための通信装置又はその機能的手段、或いは他の適当な機能的手段によって実行されることも可能である。つまり、以上の処理を実行する機能的手段は、第１の基地局２００または第２の基地局３００の一部であってもよく、第１の基地局２００と第２の基地局３００とは独立した機能的手段であってもよい。
【００４３】
第１の基地局２００はマクロ基地局であり、第２の基地局３００は小型基地局である場合に、第２の基地局３００は電力消耗の面において第１の基地局２００よりも影響を受けやすい。ところが、基地局の電力消耗は通常この基地局からユーザへ送信された下りデータのトラフィック量と係わっている。よって、通信端末１００は、マクロ基地局である第１の基地局２００と、小型基地局である第２の基地局３００とを通じて異なるキャリアリソース上でデータ伝送を同時に行う場合に、基地局からユーザ端末１００までのより多くの下りトラフィックを、電力消耗に対して影響を受けにくい第１の基地局２００に渡して実行すると共に、ユーザ端末１００から基地局までのより多くの上りトラフィックを、電力消耗に対して影響を受けやすい第２の基地局３００に渡して実行することができる。何故なら、ユーザ端末１００から基地局への上りトラフィック量による、基地局の電力消耗への影響が小さいからである。つまり、通信端末１００のどの部分のトラフィックが第２の基地局３００によって担われるかが特定されたとき、上りデータは下りデータと比べ、第２の基地局３００で担われる優先度が高い。
【００４４】
以上の態様で、通信端末１００と通信を行う基地局を変更する過程において、通信性能を改善することができるため、基地局間キャリア統合をより効果的に行うことが可能となる。
【００４５】
（本発明の第２の実施例）
以下、図３Ａ、３Ｂ及び図４Ａ、４Ｂを参照しながら、本発明の第２の実施例に係る通信方法を説明する。
【００４６】
本発明の実施例の第２の実施例〜第４の実施例では、データプレーンの処理が主に記載され、本発明の第１の実施例に係る通信方法では、制御プレーンのシグナリングインタラクティブが主に記載されている点に注意されるべきである。
【００４７】
図３Ａ、３Ｂは、図４に示す本発明の第２の実施例に係る通信方法における上りデータに関する処理と比較するための、従来の基地局の切換時における上りデータ転送を示す図である。
【００４８】
まず、従来の基地局の切換において、担われたトラフィックの特徴に応じて、切換はシームレス切換とロスレス切換と２つに大別される。シームレス切換において、パケットの時間的遅延が厳しく要求され、かつある程度のデータ損失（ロス）が許容される。一方、ロスレス切換では、パケットの損失率（ロス率）が厳しく要求され、かつある程度のパケットの時間的遅延が許容されるようになる。
【００４９】
図３Ａ、３Ｂに示すように、通信端末がコアネットワークにアップロードするパケットは１、２、３、４、５、６、……である。基地局を切り換えるときに、通信端末１００はパケット１、２、３、４、５を第１の基地局２００に送信し、ここで、第１の基地局２００はパケット１、２、４を受信すると共に、パケット１、２、４を受信した旨を確認する情報を通信端末に送信する。
【００５０】
ロスレス切換に対し、図３Ａに示すように、基地局の切り換えを行った後、通信端末１００は第１の基地局２００との通信を切断したので、通信端末はパケットを第１の基地局２００に送信せず、第２の基地局３００に送信するようになる。この前に第１の基地局２００によって連続的に受信された最後のパケットは２であり、つまり、通信端末１００から第１の基地局へと送信されなかったパケットのうちの最初のパケットは３であるので、通信端末１００はパケット３から第２の基地局３００にパケットを送信するようになる。
【００５１】
第１の基地局２００は受信された連続的なパケット１、２をコアネットワーク４００に送信すると共に、第２の基地局３００にパケット４のデータ転送を実行する。第２の基地局３００は受信された連続的なパケット３、４、５、６をコアネットワーク４００に送信する。これによって、通信端末１００からコアネットワーク４００へのパケットの配列の送信が完了することが保証されるため、ロスレス切換が実現されるようになる。ここで、パケットに対し、第１の基地局２００はパケット４の受信に成功し且つ第２の基地局３００へと転送するので、通信端末１００は第２の基地局３００にパケット４（図３Ａに示すごとく）を再送信してもよく、または第２の基地局３００にパケット４を再送信せず、第２の基地局３００にパケット３、５、６を送信してもよい点に注意されるべきである。
【００５２】
シームレス切換に対し、通信端末１００はパケットのリアルタイム性を確保するために、送信に成功しなかったパケットを再送信しないので、図３Ｂに示すように、通信端末１００は第２の基地局３００にパケット６、７、８、９を送信する。
【００５３】
第１の基地局２００は、受信に成功した連続的なパケット１，２をコアネットワーク４００に送信する。
【００５４】
第２の基地局３００は通信端末１００からパケット６、７、８、９を受信すると共に、パケット６、７、８、９をコアネットワーク４００に送信する。これによって、通信端末１００からコアネットワーク４００へと送信されるパケットのリアルタイム性が確保され、さらにシームレス切換が実現されるようになる。
【００５５】
ＬＴＥプロトコルによる基地局間のデータ転送は通常Ｘ２インタフェースによって実現されるが、基地局とコアネットワークとの間の通信は、更に正確に言えば、ＬＴＥプロトコルによる基地局とＥＰＣ（Evolved Packet Core,進化型パケットコア）コアネットワークのネットワークユニットとの間の通信はＳ１インタフェースにより行われる点に注意されるべきである。
【００５６】
また、本発明には、基地局とコアネットワーク間、及び第２の基地局３００と通信端末１００間のパケットの再送信問題については検討されず、つまり、本発明には、基地局とコアネットワーク間、及び第２の基地局３００と通信端末１００間のデータ伝送は確実的かつ正確的なものであることが納得されている点に注意されるべきである。当業者は本発明の教示の下で、本発明の実施例における特徴を、基地局とコアネットワーク間、及び第２の基地局３００と通信端末１００間のデータ伝送中にパケットの再送信問題があった場合に適用することができる。
【００５７】
本発明の実施例に係る通信方法を示す例において、通信端末１００は、第１の基地局２００と第２の基地局３００が異なるキャリアリソース上で通信端末１００とデータ伝送接続を同時に行う旨を確認するための確認情報を受信した後、或いは通信端末１００と第２の基地局３００との接続を構築した後、通信端末１００と第２の基地局３００との間で通信を行うと特定されたトラフィック中の上りデータに対し、通信端末１００は、第１の基地局２００に送信しているパケットの送信を続行し、かつ、通信端末１００と第２の基地局３００との通信を構築した後、通信端末１００は新たなパケットを第２の基地局３００に送信することができる。
【００５８】
具体的に言えば、図４Ａ、４Ｂに示すように、通信端末１００と第２の基地局３００との間で通信を行うと特定されたトラフィック中の上りデータはパケット１、２，３，４、５、６、……を含む。ここで、通信端末１００は確認情報を受信する前に、通信端末１００は第１の基地局２００にパケット１、２、３、４、５を送信する。その中において、パケット１、２、４だけは第１の基地局２００によって受信されたので、第１の基地局２００は、パケット１、２、４を受信した旨を確認する情報を送信する。
【００５９】
ロスレス切換において（即ち、高いデータ整合性が求められるトラフィックが伝送されている場合）、図４Ａに示すように、通信端末１００は、第１の基地局２００に送信しているパケット、及び第１の基地局２００に既に送信したパケットを送信し続け、すなわち、第１の基地局２００はパケット３、５を受信するまで、通信端末１００は第１の基地局２００から受信された確認情報に基づいて、パケット３及び５を再送信する。ここで、通信端末１００はパケット６（基地局間キャリア統合を行った情報を確認した新たなパケット）を第１の基地局に送信しない。
【００６０】
通信端末１００は第２の基地局３００との通信を確立した後、パケット６及びその後のパケットを第２の基地局３００に送信する。
【００６１】
第１の基地局２００は、通信端末１００から受信されたパケット１、２、３、４、５をコアネットワーク４００に直接的に送信する。
【００６２】
シームレス切換において（即ち、高いリアルタイム性が求められるトラフィックが伝送されている場合）、図４Ａに示す態様はデータの損失率を低下させるために適用されてもよく、または図４Ｂに示すように、端末装置１００は第１の基地局２００にパケット３及び５を再送信せず、第２の基地局３００との通信を確立した後、第２の基地局にパケット６を送信してもよい。ここで、端末装置１００が基地局間キャリア統合を行う情報を受信した時刻が、通信端末１００が第２の基地局３００との通信を確立する時間から離れている場合、担われたトラフィックのリアルタイム性への要求を満足するように、通信端末１００はパケット７または８、更には後に続くパケットから第２の基地局３００にデータを送信することができる。
【００６３】
第１の基地局２００は通信端末１００から受信されたパケット１、２、４をコアネットワーク４００に送信すると共に、第２の基地局３００は通信端末１００から受信されたパケット６、７、８、９をコアネットワーク４００に送信することができる。
【００６４】
また、本発明の第２の実施例に係る通信方法の別の例において、通信端末１００と第２の基地局３００との通信を確立した後（通信端末１００が、第１の基地局２００と第２の基地局３００が異なるキャリアリソース上で通信端末１００とデータ伝送接続を同時に行う旨を確認するための確認情報を受信した後に代えて）、通信端末１００と第２の基地局３００との間で通信を行うと特定されたトラフィック中の上りデータに対し、通信端末１００は、第１の基地局２００に送信しているパケットを続行し、かつ新たなパケットを第２の基地局３００に送信することができる。
【００６５】
この状況下で、ロスレス切換及びシームレス切換の具体的な処理は、図４Ａ、４Ｂ及び相応する記述を参照してもよいので、ここでは、詳細に説明しない。
【００６６】
ここで、以上で描かれた２つの例において、通信端末１００から第１の基地局２００に送信されたパケット３、５は一回目の送信時に第１の基地局２００によって受信されなかったが、ロスレス切換とシームレス切換のいずれにおいても、通信端末１００は第２の基地局３００にパケット３、５を再送信しなくてもよい点に注意されるべきである。また、第１の基地局２００と第２の基地局３００との間にはデータ転送を行う必要がない。
【００６７】
特に、通信端末１００は、第１の基地局２００と第２の基地局３００が異なるキャリアリソース上で通信端末１００とデータ伝送接続を同時に行う旨を確認するための確認情報を受信した後第１の基地局２００に新たなパケットの送信を中止する場合と比べ、通信端末１００は第２の基地局３００との接続を確立した後第１の基地局２００に新たなパケットの送信を中止する場合では、第１の基地局２００で伝送されるパケットの数が更に多い。何故なら、通信端末１００による前記確認情報の受信は、通信端末１００による第２の基地局３００との接続確立に先立って行われるからである。
【００６８】
以上の態様で、通信端末１００と基地局との通信変更過程において、通信性能を向上させることが可能である。例えば、通信端末１００は、第１の基地局２００に送信されたパケットを第２の基地局３００に再送信する必要がなくなるようにする。
【００６９】
（本発明の第３の実施例）
以下、図５、６Ａ、６Ｂを参照しながら本発明の第３の実施例に係る通信方法を説明する。
【００７０】
ここで、本発明の第２の実施例の対象とされたのは上りデータである一方、本発明の第３の実施例の対象とされたのは下りデータである点に注意されるべきである。
【００７１】
図５は、図６Ａ、６Ｂに示す本発明の第３の実施例に係る通信方法における上りデータに関する処理と比較するための、従来の基地局の切換時における上りデータを示す概略図である。
【００７２】
ここで、図５は、ロスレス切換中の下りデータの通信を示し、シームレス切換中の下りデータの通信についても、図５を参照しながら説明する。
【００７３】
図５に示すように、基地局を切り換える前に、コアネットワーク４００は第１の基地局２００にパケット１、２、３、４、５を送信し、第１の基地局２００は通信端末１００にパケット１、２、３、４を送信する。ここで、パケット１、２、４は通信端末１００によって受信され、かつ通信端末１００は、パケット１、２、４を受信した旨を表す情報を第１の基地局２００に送信し、基地局を切り換えた後、コアネットワーク４００は、パケット５のすぐ後に続くデータ終了記号ＬＰを第１の基地局２００に送信する。よって、第１の基地局２００は前記確認情報に基づいて、パケット３から始まり、パケット３、４、５及びパケット５のすぐ後に続くデータ終了記号ＬＰを第２の基地局３００に転送する。
【００７４】
また、基地局を切り換えた後、コアネットワーク４００は新たなパケット６、７、８を第２の基地局３００に送信する。第２の基地局３００はデータ終了記号ＬＰに基づいて、新たなパケット６、７、８をパケット３、４、５の後に続くことで、パケット３、４、５、６、７、８を通信端末１００に送信することができる。ここまで、ロスレス切換が完了されることに至った。
【００７５】
シームレス切換の場合において、第１の基地局２００はパケット５から第２の基地局３００にデータ転送を開始する。つまり、第１の基地局２００はパケット５及びパケット５のすぐ後に続くデータ終了記号ＬＰを第２の基地局に転送する。第２の基地局３００はデータ終了記号ＬＰに基づいて、コアネットワーク４００から受信された新たなパケット６、７、８をパケット５の後に続くことで、パケット５、６、７、８を通信端末１００に送信することができる。ここまで、シームレス切換が完了されることに至った。
【００７６】
本発明の第３の実施例に係る通信方法の例において、通信端末１００は、第１の基地局２００と第２の基地局３００が異なるキャリアリソース上で通信端末１００とデータ伝送接続を同時に行う旨を確認するための確認情報を受信した後、或いは、第２の基地局３００は通信端末１００との接続を確立すると共にこの旨を第１の基地局２００に通知した後、通信端末１００と第２の基地局３００との間で通信を行うと特定されたトラフィック中の下りデータに対し、通信端末１００は、第１の基地局２００から受信しているパケットを続行し、かつ、第１の基地局２００は、まだ通信端末１００に送信されていないパケットとコアネットワーク４００から受信された新たなパケットを第２の基地局３００にデータ転送を行うようにした。ここで、第２の基地局３００が通信端末１００との接続を確立した通知情報は、第２の基地局３００から第１の基地局２００に送信されることも、通信端末１００から第１の基地局２００に送信されることも可能である点に注意されるべきである。
【００７７】
具体的には、図６Ａを参照すると、通信端末１００は、第１の基地局２００と第２の基地局３００が異なるキャリアリソース上で通信端末１００とデータ伝送接続を同時に行う旨を確認するための確認情報を受信する前に、コアネットワーク４００は第１の基地局２００にパケット１、２、３、４を送信し、第１の基地局２００は通信端末１００にパケット１、２、３、４を送信する。ここで、パケット１、２、４は通信端末に受信されたので、通信端末１００は、パケット１、２、４を受信した旨を確認する情報を第１の基地局２００に送信する。通信端末１００は、第１の基地局２００及び第２の基地局３００が同時に通信端末１００に接続された旨を確認する情報を受信した後、通信端末１００は、第１の基地局２００から受信されているパケットを続行してもよく、第１の基地局２００から新たなパケットを受信しなくてもよい。つまり、第１の基地局２００は、第１の基地局２００及び第２の基地局３００が同時に通信端末１００に接続された旨を確認する情報を通信端末１００に送信した後、第１の基地局２００は新たなパケットを通信端末１００に送信しない。
【００７８】
ロスレス切換において、第１の基地局２００は、通信端末１００との間のパケット３の送信を完了する。シームレス切換において、ロスレス切換のように動作してデータ損失率を低下させることもできれば、パケット３を破棄するようにしてもよい。つまり、パケット３に対して再送信しない。
【００７９】
以下で記述される処理は、ロスレス切換とシームレス切換に対して同じものである。
【００８０】
第１の基地局２００は、第１の基地局２００と第２の基地局３００が異なるキャリアリソース上で通信端末１００とデータ伝送接続を同時に行う旨を確認する情報を通信端末１００に送信した後、通信端末１００と第２の基地局３００との間に通信を確立した旨がコアネットワーク４００に通知されるまで、コアネットワーク４００は第１の基地局２００へとデータ送信を続行する。例えば、図６Ａに示すように、コアネットワーク４００は、パケット５及びパケット５のすぐ後に続くデータ終了記号ＬＰを第１の基地局２００に送信する。第１の基地局２００はパケット４を通信端末１００に送信した後、新たなパケットを通信端末１００に送信しないので、第１の基地局２００はパケット５及びパケット５のすぐ後に続くデータ終了記号ＬＰを第２の基地局３００に転送する。ここで、第２の基地局３００が通信端末１００との接続を確立した通知情報は、第２の基地局３００からコアネットワーク４００に直接的に送信されることが可能となる。第２の基地局３００はこの通知情報を第１の基地局２００に送信し、第１の基地局２００はこの通知情報をコアネットワーク４００に送信することができる。
【００８１】
通信端末１００と第２の基地局３００との間に通信を確立した旨がコアネットワーク４００に通知された後、コアネットワーク４００は第２の基地局３００にパケット６、７、８、９を送信する。第２の基地局３００はデータ終了記号ＬＰに基づいて、パケット６、７、８、９をパケット５の後に続くことで、パケット５，６、７、８、９を通信端末１００に送信する。
【００８２】
また、本発明の第３の実施例に係る通信方法の別の例において、通信端末１００と第２の基地局３００との通信を確立した後（たとえば、通信端末１００が、第１の基地局２００と第２の基地局３００が異なるキャリアリソース上で通信端末１００とデータ伝送接続を同時に行う旨を確認するための確認情報を受信した後に代えて、第１の基地局２００が、第２の基地局３００が通信端末１００との接続を確立した旨を表す通知情報を受信した後に）、通信端末１００と第２の基地局３００との間で通信を行うと特定されたトラフィック中の下りデータに対し、通信端末１００は、第１の基地局２００に送信しているパケットを続行し、かつ第１の基地局２００は、コアネットワーク４００から受信された新たなパケットを第２の基地局３００にデータ転送する。この状況下で、ロスレス切換及びシームレス切換の具体的な処理は、図６Ａ及び相応する記述を参照してもよいので、ここでは詳細に説明しない。
【００８３】
本発明の第３の実施例に係る通信方法における上記２つの例が主に相違するのは、第１の基地局２００は新たなパケットを通信端末１００に送信せず新たなパケットを第２の基地局３００にデータ転送するタイミングが異なる点だけである。この２つの例において、第１の基地局２００は、コアネットワーク４００から第１の基地局２００に送信された新たなパケットを第２の基地局３００に転送する必要がある。第１の基地局２００から通信端末１００に送信されたパケットは、第２の基地局３００を介して通信端末１００に再送信される必要がない。
【００８４】
以上の２つの例に示す態様で、通信端末１００と基地局との通信変更過程において通信性能を向上させることができる。例えば、基地局の間でデータ転送を行うパケット数が低減され、及び／又は、基地局による下りデータへの再送信が省略されるようになる。
【００８５】
また、図６Ｂを参照して、本発明の第３の実施例に係る通信方法の別の例をさらに示す。この例において、コアネットワーク４００は、第２の基地局３００と通信端末１００との間で通信を確立した旨を示す通知情報を受信した後、通信端末１００と第２の基地局３００との間で通信を行うと特定されたトラフィック中の下りデータに対し、第１の基地局２００に新たなパケットの送信を続行し、第１の基地局２００はコアネットワーク１００から受信された新たなパケットを第２の基地局３００にデータ転送し、第２の基地局３００は第１の基地局２００から受信された新たなパケットを通信端末１００に送信する。この過程において、第１の基地局２００と第２の基地局３００との間には、下りデータに対してデータ転送を実行しない。
【００８６】
図６Ａと同様に、通信端末１００は、第１の基地局２００と第２の基地局３００が異なるキャリアリソース上で通信端末１００とデータ伝送接続を同時に行う旨を確認する情報を受信する前に、或いは、第２の基地局３００は、通信端末１００との接続を確立する前に、コアネットワーク４００は第１の基地局２００にパケット１、２、３、４を送信し、第１の基地局２００は通信端末１００にパケット１、２、３、４を送信する。その中に、パケット１、２、４は通信端末１００によって成功裏に受信され、通信端末１００は、パケット１、２、４を受信した旨を確認する情報を第１の基地局２００に送信する。通信端末は、第１の基地局２００と第２の基地局３００が異なるキャリアリソース上で通信端末１００とデータ伝送接続を同時に行う旨を確認する情報を受信した後、通信端末１００は、第１の基地局２００から受信されているパケットの送信を続行すると共に、新たなパケットを第１の基地局２００から受信しなくなり、新たなパケットを第２の基地局３００から受信するようになる。
【００８７】
図６Ａとは異なるように、図６Ｂにおいて、通信端末１００と第２の基地局３００との間に通信を確立した旨がコアネットワーク４００に通知された後、コアネットワーク４００は新たなパケットの送信を第１の基地局２００に続行するが、新たなパケットは第２の基地局３００に送信しない。こうして処理するのは、例えば、第１の基地局２００とコアネットワーク４００間の通信品質と比べ、第２の基地局３００とコアネットワーク４００間の通信品質が劣化しているからである。
【００８８】
また、図６Ｂにおいて、通信端末１００と第２の基地局３００との接続を確立した旨をコアネットワーク４００に通知しなくてもよいので、コアネットワークは続いて下りデータのパケットを第１の基地局２００に送信する。これと同様に、第１の基地局２００は、コアネットワーク４００から受信された新たなパケットを第２の基地局３００に転送しない。
【００８９】
従って、図６Ｂに対応する方案において、第２の基地局３００から通信端末１００に送信されたパケットは、第１の基地局２００からのデータで転送される。このとき、第２の基地局３００は、コアネットワーク４００から第１の基地局２００へ送信された最後のパケットのコアネットワーク番号、或いは、コアネットワーク４００から第２の基地局３００へ送信された最初のパケットのコアネットワーク番号を特定するための情報を受信する必要がない。
【００９０】
こうした状況に鑑みて、通信端末１００と第２の基地局３００とが接続を確立した情報は通信端末１００または第２の基地局３００から第１の基地局２００へと送信され、さらに、通信端末１００と第２の基地局３００とが接続を確立した情報を第１の基地局２００からコアネットワーク４００に通知することもできる。
【００９１】
この例の通信方法により、第１の基地局２００とコアネットワーク４００との間よりも良好な通信品質を十分に利用することができるため、通信性能を向上させることが可能となる。
【００９２】
（本発明の第４の実施例）
以下、図７を参照しながら、本発明の第４の実施例に係る通信方法を説明する。
【００９３】
本発明の第３の実施例に係る通信方法の例において、下りデータはデータ転送する必要がある一方、本発明の第４の実施例に係る通信方法の例において、下りデータはデータ転送する必要がない点に注意されるべきである。
【００９４】
本発明の第４の実施例に係る通信方法において、上記の図２への記述で示されるように、通信端末１００と第２の基地局３００との通信を確立した後、通信端末１００と第２の基地局３００との通信を確立した情報はコアネットワーク４００に送信され、コアネットワーク４００は、通信端末１００と第２の基地局３００との通信を確立した旨に関する情報を受信した後、コアネットワーク４００は新たなパケットを第２の基地局３００に送信し、第１の基地局２００は、通信端末１００に送信しているパケット及びコアネットワーク４００から受信されたパケットの送信を続行し、第２の基地局３００は、コアネットワーク４００から受信された新たなパケットを通信端末１００に送信する。
【００９５】
具体的には、図７に示すように、コアネットワーク４００は、通信端末１００と第２の基地局３００との通信を確立した旨に関する情報を受信する前に、コアネットワーク４００は第１の基地局２００にパケット１、２、３、４、５を送信し、第１の基地局２００は通信端末１００にパケット１、２、３、４を送信する。その中で、パケット１、２、４は通信端末１００によって成功裏に受信されたので、通信端末１００は、パケット１、２、４を受信した旨を確認する情報を第１の基地局２００に送信する。コアネットワーク４００は、通信端末１００と第２の基地局３００との通信を確立した旨に関する情報を受信した後、コアネットワーク４００はパケット５に続いてデータ終了記号ＬＰを第１の基地局に送信すると共に、パケット６、７、８、９を第２の基地局３００に送信する。第１の基地局２００はデータ終了記号ＬＰの前のパケット５（即ち受信されたパケット５）を引き続き通信端末１００に送信する。また、第１の基地局２００はデータ終了記号ＬＰを第２の基地局３００に送信することができる。
【００９６】
ロスレス切換において、第１の基地局２００は、通信端末１００との間のパケット３の送信を確保する。シームレス切換において、ロスレス切換のように動作してデータ損失率を低下させることもできれば、パケット３を破棄するようにしてもよい。つまり、パケット３は再送信しない。
【００９７】
第２の基地局３００はデータ終了記号ＬＰに基づいて、コアネットワーク４００から受信された新たなパケット６、７、８、９を通信端末１００に送信する。
【００９８】
ここのデータ終了記号ＬＰにより、コアネットワーク４００から第１の基地局２００に送信された最後のパケットはパケット５であることが明らかにされている。また、コアネットワーク４００はパケット６の直ぐ前のデータ終了記号ＬＰを第２の基地局３００に送信することもできる。このとき、データ終了記号ＬＰにより、コアネットワーク４００から第２の基地局３００に送信された最初のパケットはパケット６であることが裏付けられている。従って、第２の基地局３００は、コアネットワーク４００から第１の基地局２００に送信された最後のパケットはどのパケットであるかを特定し、或いはコアネットワーク４００から第２の基地局３００に送信された最初のパケットはどのパケットであるかを特定することができる。
【００９９】
以上の過程において、第１の基地局２００と第２の基地局３００との間には、データ転送を実行しなくてもよい。ここで、ＬＰは符号に過ぎず、第１の基地局２００からデータ終了記号ＬＰを第２の基地局３００に送信する処理は、第１の基地局２００と第２の基地局３００との間でデータ転送を実行しない点に注意されるべきである。
【０１００】
ここで、データ終了記号は、コアネットワーク４００からパケットを送信する番号であり、この番号はパケットの有線伝送番号とされる。
【０１０１】
データ終了記号ＬＰによりコアネットワーク番号の同期を確保する以外に、第１の基地局と第２の基地局のプロトコルが同じものであれば、第１の基地局はさらにエアインタフェース番号情報を第２の基地局に送信することができる。具体的にＬＴＥにおいて、端末側のエアインタフェースデータが順番ごとに処理されるための、エアインタフェース番号情報はＰＤＣＰ（パケットデータコンバージェンスプロトコル）のデータ番号であり、内容は図７におけるパケット５またはパケット６のＰＤＣＰ番号である。つまり、第１の基地局２００は、第１の基地局２００で伝送された最後のパケットのＰＤＣＰ番号或いは第２の基地局３００から送信すべき最初のパケットのＰＤＣＰ番号の情報を第２の基地局３００に送信することができる。
【０１０２】
以上の態様で、通信端末１００と通信を行う基地局を変更することで、通信性能を向上させることが可能となる。例えば、基地局間でデータ転送を実行しなくてもよく、及び/又は、基地局の下がりデータへの再送信が省略されるようになる。
【０１０３】
（本発明の第５の実施例）
以下、図８Ａ〜８Ｄを参照しながら、本発明の第５の実施例に係る各通信装置について説明する。
【０１０４】
図８Ａは、本発明の第５の実施例に係る通信装置８００を示している。係る通信装置８００は、第１の基地局２００側に設けられ且つ基地局と通信端末間の通信を変更する通信装置であって、第１の基地局２００と通信を進行している通信端末１００による第２の基地局３００への測定結果が所定の条件を満たす場合に、第１の基地局２００と第２の基地局３００が異なるキャリアリソース上で通信端末１００とデータ伝送接続を同時に行うことができるように、第１の基地局２００と第２の基地局３００が異なるキャリアリソース上で通信端末１００とデータ伝送接続を同時に行う旨に関する要求を第２の基地局３００に送信するように構成されている要求送信手段８０１と、第２の基地局３００が通信端末１００のどの部分のトラフィックに対して通信を行えるか、ランダムアクセスに必要な専用プリアンブル、通信端末１００と第２の基地局３００とが通信を行う新たなキャリアのシステム情報と、通信端末１００と第２の基地局３００の通信を構築する制御面プロトコルの構成情報とからなる群より選ばれた少なくとも１つを含む確認情報を第２の基地局３００から受信すると共に、通信端末１００に送信するように構成されている確認送受信手段８０２とを備える。
【０１０５】
つまり、要求送信手段８０１は、図２における処理２０４に対応する処理を実行し、確認送受信手段８０２は、図２における処理２０６、２０７に対応する処理を実行することができる。
【０１０６】
また、通信装置８００は、本発明の第１〜４の実施例に係る通信方法における他のステップに対応する処理を実行する他の手段をさらに備える。
【０１０７】
例えば、通信装置８００は、さらに、第２の基地局３００の信号を測定する制御情報をユーザ端末１００に送信するための機能手段（図２における処理２０１を参照）と、ユーザ端末１００による測定結果を受信するための機能手段（図２における処理２０２を参照）とを備える。
【０１０８】
ここで、通信装置８００は独立した装置であり、通信端末１００、第１の基地局２００、第２の基地局３００及びコアネットワーク４００と接続されて動作する点に注意されるべきである。通信装置８００は第１の基地局２００の一部であってもよい。
【０１０９】
図８Ｂは、本発明の第５の実施例に係る通信装置８１０を示している。係る通信装置８１０は、第２の基地局３００側に設けられ、且つ、基地局と、第１の基地局と通信を進行している通信端末との間の通信を変更する通信装置であって、第１の基地局２００と第２の基地局３００が異なるキャリアリソース上で通信端末１００とデータ伝送接続を同時に行う旨に関する要求を第１の基地局から受信するように配置されている（図２における処理２０４を参照）要求受信手段８１１と、この要求を第１の基地局２００から受信した後、第２の基地局３００が通信端末１００のどの部分のトラフィックに対して通信を行えるか、ランダムアクセスに必要な専用プリアンブル、通信端末１００と第２の基地局３００とが通信を行う新たなキャリアのシステム情報と、通信端末１００と第２の基地局３００の通信を構築する制御面プロトコルの構成情報とからなる群より選ばれた少なくとも１つを含む確認情報を生成すると共に第１の基地局２００へ送信するように配置されている（図２における処理２０５、２０６を参照）確認手段８１２とを備える。
【０１１０】
また、通信装置８１０は、さらに、本発明の第１〜４の実施例に係る通信方法における他のステップに対応する処理を実行する他の手段を備える。
【０１１１】
例えば、通信装置８１０は、さらに、通信端末１００との接続を確立するための機能手段（図２における処理２０９を参照）と、通信端末１００と第２の基地局３００との間の接続を確立した旨に関する情報をコアネットワーク４００に通知するための機能手段（図２における処理２１０を参照）とを備える。
【０１１２】
ここで、通信装置８１０は独立した装置であり、通信端末１００、第１の基地局２００、第２の基地局３００及びコアネットワーク４００と接続されて動作する点に注意されるべきである。通信装置８１０は第２の基地局３００の一部であってもよい。
【０１１３】
図８Ｃは、本発明の第５の実施例に係る通信装置８２０を示している。係る通信装置８２０は、通信端末側に設けられ、且つ、基地局と通信端末との間の通信を変更する通信装置であって、第１の基地局２００と第２の基地局３００が異なるキャリアリソース上で通信端末１００とデータ伝送接続を同時に行うと特定された場合に、第２の基地局３００が通信端末１００のどの部分のトラフィックに対して通信を行えるか、ランダムアクセスに必要な専用プリアンブル、通信端末１００と第２の基地局３００とが通信を行う新たなキャリアのシステム情報と、通信端末１００と第２の基地局３００の通信を構築する制御面プロトコルの構成情報とからなる群より選ばれた少なくとも１つを含む確認情報を第１の基地局２００から受信するように配置されている（図２における処理２０７を参照）確認受信手段８２１と、第１の基地局２００との接続が保持された場合に、第２の基地局３００との接続を構築するように配置されている（図２における処理２０９を参照）接続確立手段８２２とを備える。
【０１１４】
また、通信装置８２０は、さらに、本発明の第１〜４の実施例に係る通信方法における他のステップに対応する処理を実行する他の手段を備える。
【０１１５】
例えば、通信装置８２０は、さらに、第２の基地局３００の信号を測定する制御情報を第１の基地局２００から受信する機能手段（図２における処理２０１を参照）と、測定結果を第１の基地局２００に送信するための機能手段（図２における処理２０２を参照）とを備える。
【０１１６】
ここで、通信装置８２０は独立した装置であり、通信端末１００、第１の基地局２００、第２の基地局３００及びコアネットワーク４００と接続されて動作する点に注意されるべきである。通信装置８２０は通信端末１００の一部であってもよい。
【０１１７】
図８Ｄは、本発明の第５の実施例に係る通信装置８３０を示している。係る通信装置８３０は、コアネットワーク４００側に設けられ、且つ、基地局と通信端末との間の通信を変更する通信装置であって、第１の基地局２００と通信を進行している通信端末１００と、第２の基地局３００との間には、第１の基地局とは異なるキャリアリソース上でデータ伝送を行う接続が構築された後、第１の基地局２００又は第２の基地局３００から、第１の基地局２００及び第２の基地局３００が異なるキャリアリソース上で通信端末１００とデータ伝送接続を同時に行う旨に関する通知情報を受信するように配置されている（図２における処理２１０を参照）通知受信手段８３１と、通知情報を受信した後、引き続き、第１の基地局２００を介して通信端末１００と通信を行う（図２の下方に示される、第１の基地局２００とコアネットワーク４００との間及び第１の基地局２００と通信端末１００との間のパケット通信を参照）第１の通信手段８３２と、通知情報を受信した後、第２の基地局３００を介して通信端末１００と通信を行う（図２の下方に示される、第２の基地局３００とコアネットワーク４００との間及び第２の基地局３００と通信端末１００との間のパケット通信を参照）第２の通信手段８３３とを備える。
【０１１８】
また、通信装置８３０は、さらに、本発明の第１〜４の実施例に係る通信方法における他のステップに対応する処理を実行する他の手段を備える。
【０１１９】
ここで、通信装置８３０は独立した装置であり、通信端末１００、第１の基地局２００、第２の基地局３００及びコアネットワーク４００と接続されて動作する点に注意されるべきである。通信装置８３０はコアネットワーク４００の一部であってもよい。
【０１２０】
本発明の第５の実施例に係る各通信装置及びその機能手段は、ハードウェア又はソフトウェア、若しくは両者の組合せ（例えば、プログラムロジックアレイ）によって実現される。特に指定がない限り、本発明の実施例に含まれる計算法及び過程は、いずれかの特定のコンピュータ又は他の機器とは必ずしも関連するものではない。特に、ここで書かれたプログラムにより種々の汎用機器を使用し、或いは専用機器（例えば集積回路）を、必要な方法やステップを行うように、或いは所望の機能手段を実現するように好適に構成してもよい。従って、１つ以上のプログラミング可能なコンピュータシステム上で実行される１つ以上のコンピュータプログラムを用いて本発明を実現することが可能であり、それぞれの前記プログラミング可能なコンピュータシステムは、少なくとも１つのプロセッサと、少なくとも１つのデータ記憶システム（揮発的及び不揮発性メモリ及び/又は記憶素子を含む）と、少なくとも１つの入力デバイス又はポートと、少なくとも１つの出力デバイス又はポートとを備える。プログラムコードを入力データに付することで、ここでいう機能を実行すると共に出力情報を生成する。既存方式で出力情報を１つ以上の出力デバイスに付加する。
【０１２１】
（本発明の第６の実施例）
本発明の第６の実施例により、本発明の第１の実施例〜第４の実施例に係る通信方法又は本発明の第５の実施例に係る通信装置は、ソフトウェア、ファームウェア、ハードウェア又はいずれかの組合せの方式で配置されることができる。ソフトウェア又はファームウェアによって実現される場合に、記憶媒体又はネットワークを経由して、専用ハードウェア構造をもつ機器（例えば図９に示す汎用機器９００）上に、このソフトウェア又はファームウェアを構成するプログラムを実装することができる。この機器に種々のプログラムが実装されると、前記各構成手段やサブ手段の様々な機能を実行することが可能となる。
【０１２２】
図９において、中央処理手段（ＣＰＵ）９０１は読取メモリ（ＲＯＭ）９０２に記憶されたプログラム、又は、記憶部９０８からランダム読取メモリ（ＲＡＭ）９０３にロードされたプログラムによって種々の処理を実行する。ＲＡＭ９０３において、さらに、必要に応じて、ＣＰＵ９０１が種々の処理を実行するのに必要なデータを格納する。ＣＰＵ９０１、ＲОＭ９０２及びＲＡＭ９０３はバス９０４を介して互いに接続されている。入力/出力インタフェース９０５もバス９０４に接続されている。
【０１２３】
入力部９０６（キーボードやマウスなどを含む）、出力部９０７（例えば陰極線管ＣＲＴ、液晶ディスプレイＬＣＤなどのディスプレイとスピーカなどを含む）、記憶部９０８（ハードディスクなどを含む）、通信部９０９（例えばローカルネットワークＬＡＮカードのようなネットワークインタフェースカード、変調復調器などを含む）も、入力/出力インタフェース９０５に接続されている。ここで、通信部９０９は、インターネットなどのようなネットワークを介して通信処理を実行する。必要に応じて、ドライバ９１０も入力/出力インタフェース９０５に接続されている。取外し可能な媒体９１１、例えば磁気ディスクや、ＣＤ、光磁気ディスク、半導体メモリなどは必要に応じてドライバ９１０に実装され、これによって、これらの中に読み出されたコンピュータプログラムは必要に応じて記憶部９０８に実装されるようになる。
【０１２４】
前記一連の処理はソフトウェアによって実現される場合に、ネットワーク例えばインターネット、又は、記憶媒体例えば取外し可能な媒体９１１を介して、ソフトウェアを構成するプログラムを実装することが可能となる。
【０１２５】
このような記憶媒体は、図９に示す、プログラムが記憶され、機器と離間して配信しユーザにプログラムを提供する取外し可能な媒体９１１に制限されるものではないように理解されるべきである。取外し可能な媒体９１１の例としては、磁気ディスク（フロッピーディスク（登録商標）を含む）と、ＣＤ（ＣＤ読取メモリＣＤ-ＲОＭ）とデジタル多用途ディスクＤＶＤを含む）光磁気ディスク（ミニディスクＭＤを含む）と半導体メモリなどが挙げられる。また、記憶媒体はＲОＭ９０２、記憶部９０８に含まれるハードディスクなどであってもよく、これらの中にプログラムが記憶され、かつこれらを含む機器と共にユーザに配信されるようになる。
【０１２６】
なお、本発明は、機器読取可能なコマンドコードが記憶されたプログラム製品をさらに提供する。前記コマンドコードは機器によって読み取られ実行されると、本発明の実施例に係る通信方法を実行することができる。これに応じて、このプログラム製品を載せる磁気ディスク、ＣＤ、光磁気ディスク、半導体メモリなどのような種々の記憶媒体も本発明の技術案に含まれている。
【０１２７】
また、明らかなように、本発明の実施例に係る処理方法の各動作工程も、様々な機器で読み取り可能な記憶媒体に記憶されたコンピュータ実行可能なプログラムの方式によって実現されることができる。
【０１２８】
以上、本発明の好適な実施例について説明した。ところが、上記の記述は、本発明を説明するものに過ぎず、本発明を限定するものではない。当業者は、本発明の開示範囲を逸脱しない限り、本発明の実施例における各特徴に対して修正、置換、組合せ及び一部の組合せを行うことができる。本発明の範囲は添付される特許請求の範囲で特定されるものとする。
【０１２９】
制限されるものではないが、本発明は以下の形態を含む複数の形態で実現することができる。
【０１３０】
一の実施例において、ユーザ機器（ＵＥ）との第１の無線通信チャネルを構築する処理回路を備える電子機器について説明する。前記機器は、前記ＵＥと前記電子機器との間の前記第１の通信チャネルを維持している場合に、前記ＵＥと非共通ベースバンド基地局（ＢＳ）との間に、少なくとも所定の品質をもつ第２の通信チャネルが存在しているか否かをさらに特定するように配置されている。ここで、前記第１の通信チャネルと前記第２の通信チャネルとは異なるキャリア資源を使用する電子機器。
【０１３１】
一方、前記処理回路は、前記第１の通信チャネル上に、前記ＵＥが前記第１の通信チャネルを維持しているときに、前記非共通ベースバンドＢＳとの前記第２の通信チャネルを構築及び維持しようとする決定結果を前記ＵＥに通知するように配置されている。
【０１３２】
他方、前記処理回路は、前記ＵＥが前記第２の通信チャネル上に前記非共通ベースバンドＢＳとのデータ転送を構築及び維持している場合に、前記第１の通信チャネルにおける前記ＵＥとのデータ転送を開放しない。
【０１３３】
他方、前記非共通ベースバンドＢＳは光学的接続により前記電子機器に接続されていない。
【０１３４】
他方、前記処理回路は、少なくとも、前記非共通ベースバンド通信チャネル及び前記ＵＥからの信号の測定結果に基づいて、前記ＵＥとの通信を変更する方式を特定することにより、前記非共通ベースバンドとの前記第２の通信チャネルの構築及び維持を含ませるようにした。
【０１３５】
他方、前記第２の通信チャネルを構築した後、前記処理回路及び前記非共通ベースバンドＢＳは、各制御面構成のデータ伝送と、上り制御チャネルでの伝送と、移動性及び無線リンク障害の測定からなる群より選ばれた少なくとも１つを実行する。
【０１３６】
他方、前記電子機器、前記ＵＥ及び前記非共通ベースバンドＢＳは共通制御面を共有する。
【０１３７】
他方、前記共通制御面は、無線リソース制御（ＲＲＣ）プロトコルである。
【０１３８】
他方、前記第１の通信チャネルに使用される周波数帯域は前記第２の通信チャネルの周波数帯域と異なる。
【０１３９】
他方、前記処理回路は、前記非共通ベースバンドＢＳが前記ＵＥのどの部分のメッセージトラフィックと通信を行えるかという指示と、ランダムアクセス用のプリアンブルと、前記ＵＥが前記非共通ベースバンドＢＳと通信を行う新たなキャリアのシステム情報と、前記通信端末と前記第２の基地局との間の通信を構築するための制御面プロトコルの構成情報とからなる群より選ばれた少なくとも１つを前記非共通ベースバンドＢＳから受信するように配置されている。
【０１４０】
他方、前記処理回路は、連続的なパケットをコアネットワークに転送することにより前記非共通ベースバンドＢＳとのロスレス切換を実行すると共に、既に受信された不連続的なパケットを前記非共通ベースバンドＢＳに転送し、続いて前記コアネットワークへ転送するようにした。
【０１４１】
他方、前記ＵＥは落としたパケットを前記非共通ベースバンドＢＳに送信して前記コアネットワークに転送することができるように、前記処理回路は、前記ＵＥから既に受信されたパケットを確認することにより前記非共通ベースバンドＢＳとのシームレス切換を実行する。
【０１４２】
他方、前記ＵＥは落としたパケットを前記処理回路に再送してコアネットワークへ転送することができるように、前記処理回路は、前記ＵＥから既に受信されたパケットを確認することにより前記非共通ベースバンドＢＳとのロスレス切換を実行し、また、前記非共通ベースバンドＢＳは異なるパケットを前記コアネットワークへ転送することができるように、前記ＵＥは、さらに前記異なるパケットを前記非共通ベースバンドＢＳに送信する。
【０１４３】
他方、前記コアネットワークへ転送できるように、前記処理回路は、前記ＵＥから既に受信されたパケットを確認することにより前記非共通ベースバンドＢＳとのシームレス切換を実行し、これにより、前記ＵＥは、さらに異なるパケットを前記非共通ベースバンドＢＳに送信でき、前記非共通ベースバンドＢＳは、前記異なるパケットを前記コアネットワークに転送できる。
【０１４４】
他方、前記処理回路は、前記ＵＥから前記処理回路に送信されたパケットの受信確認を前記処理回路から送信できないと前記ＵＥにより判定されると、前記ＵＥからのパケットの受信を停止するように配置されている。
【０１４５】
他方、前記処理回路はロスレス切換において、前記第１の通信チャネル上にパケットの第１のセットを前記ＵＥに送信し且つ前記第１のセットのサブセットの受信確認のみを受信することに応じて、落としたパケットを前記非共通ベースバンドＢＳに転送して前記ＵＥに中継するようにした。
【０１４６】
他方、前記処理回路は、パケットを落としたことを示す情報が確認されると、パケットを前記ＵＥに送信することを停止すると共に、これに応じて、落とした少なくとも１つのパケットと新たに受信されるいずれかのパケットを前記非共通ベースバンドＢＳに転送して前記ＵＥに中継するように配置されている。
【０１４７】
他方、前記処理回路は、新たに受信された前記パケットのみを前記非共通ベースバンドＢＳに転送して前記ＵＥに中継するように配置されている。
【０１４８】
他方、前記処理回路は、パケットをコアネットワークから前記ＵＥに送信する配置されており、データ終了符号が受信されると、前記処理回路は前記データ終了符号を前記非共通ベースバンドＢＳに転送して前記ＵＥに中継するようにした。
【０１４９】
別な実施例において、第1の基地局とユーザ機器（ＵＥ）との間の第１の無線通信チャネルを構築し、前記ＵＥと前記電子機器との間の前記第１の通信チャネルを維持している場合に、前記ＵＥと非共通ベースバンド基地局（ＢＳ）との間に、少なくとも所定の品質を有し、前記第１の通信チャネルとは異なるキャリア資源を使用する第２の通信チャネルが存在しているか否かを処理回路によって特定する通信方法にについて説明する。
【０１５０】
非一時的なコンピュータ読取可能な記憶媒体に関する実施例において、前記媒体に、処理回路によって実行すると通信方法を実行する指令を格納する。前記通信方法において、第1の基地局とユーザ機器（ＵＥ）との間の第１の無線通信チャネルを構築するステップと、前記ＵＥと前記電子機器との間の前記第１の通信チャネルを維持している場合に、前記ＵＥと非共通ベースバンド基地局（ＢＳ）との間に、少なくとも所定の品質をもつ第２の通信チャネルが存在しているか否かを処理回路によって特定するステップとを含み、前記第１の通信チャネルと前記第２の通信チャネルとは異なるキャリア資源を使用する。
【図１】
2018023161.tif 000002
【図２】
2018023161.tif 000003
【図３Ａ】
2018023161.tif 000004
【図３Ｂ】
2018023161.tif 000005
【図４Ａ】
2018023161.tif 000006
【図４Ｂ】
2018023161.tif 000007
【図５】
2018023161.tif 000008
【図６Ａ】
2018023161.tif 000009
【図６Ｂ】
2018023161.tif 000010
【図７】
2018023161.tif 000011
【図８Ａ】
2018023161.tif 000012
【図８Ｂ】
2018023161.tif 000013
【図８Ｃ】
2018023161.tif 000014
【図８Ｄ】
2018023161.tif 000015
【図９】
2018023161.tif 000016
【図１０】
2018023161.tif 000017